【手続補正書】
【提出日】平成16年9月29日(2004.9.29)
【手続補正１】
【補正対象書類名】明細書
【補正対象項目名】特許請求の範囲
【補正方法】変更
【補正の内容】
【特許請求の範囲】
【請求項１】
複数の伝送データ系列それぞれの周波数拡散変調信号を符号分割多重して伝送する符号分割多重伝送方式において、
受信側における拡散符号の同期を容易にするための拡散符号同期用信号と前記複数の伝送データ系列それぞれの構成に関する情報または同期に関する情報との時分割多重、及び受信側で既知の拡散符号を用いた周波数拡散変調を行って、同期信号としての周波数拡散変調信号を生成する同期信号処理部と、
この同期信号処理部で得られた同期信号としての周波数拡散変調信号を前記複数の伝送データ系列それぞれの周波数拡散変調信号に符号分割多重して伝送信号を生成する符号分割多重化部とを具備することを特徴とする符号分割多重伝送方式。
【請求項２】
前記同期信号処理部は、受信側における拡散符号の同期を容易にするための拡散符号同期用信号と前記複数の伝送データ系列それぞれの構成に関する情報または同期に関する情報との時分割多重する時分割多重化部と、この時分割多重化部で得られた時分割多重信号を受信側で既知の拡散符号を用いて周波数拡散変調して同期信号としての周波数拡散変調信号を生成する周波数拡散変調部とを備えることを特徴とする請求項１記載の符号分割多重伝送方式。
【請求項３】
前記同期信号処理部は、受信側における拡散符号の同期を容易にするための拡散符号同期用信号を受信側で既知の拡散符号を用いて周波数拡散変調する第１の周波数拡散変調部と、前記複数の伝送データ系列それぞれの構成に関する情報または同期に関する情報を前記受信側で既知の拡散符号を用いて周波数拡散変調する第２の周波数拡散変調部と、前記第１及び第２の周波数拡散変調部それぞれで得られた周波数拡散変調信号を時分割多重する時分割多重化部とを備えることを特徴とする請求項１記載の符号分割多重伝送方式。
【請求項４】
前記伝送データ系列の構成に関する情報には、少なくとも前記複数の伝送データ系列それぞれの誤り訂正符号の符号化率のパラメータ情報を含むことを特徴とする請求項１記載の符号分割多重伝送方式。
【請求項５】
前記伝送データ系列の構成に関する情報には、少なくとも前記複数の伝送データ系列それぞれのインターリーブの長さのパラメータ情報を含むことを特徴とする請求項１記載の符号分割多重伝送方式。
【請求項６】
前記伝送データ系列の同期に関する情報には、少なくとも前記複数の伝送データ系列それぞれの誤り訂正符号のパンクチャドパターンの同期に用いる同期ワードを含むことを特徴とする請求項１記載の符号分割多重伝送方式。
【請求項７】
前記伝送データ系列の同期に関する情報には、少なくとも前記複数の伝送データ系列それぞれの誤り訂正符号のパンクチャドパターンの同期に用いる同期ワードを含み、
前記同期信号は、複数のフレームからなる１スーパーフレームを形成し、
前記同期ワードは、前記同期信号１スーパーフレーム中の１フレーム目の所定位置に対応させるようにし、
前記複数の伝送データ系列総ての誤り訂正符号のパンクチャドパターンの先頭を前記同期ワードの直後となるようにしたことを特徴とする請求項１記載の符号分割多重伝送方式。
【請求項８】
前記伝送データ系列の同期に関する情報には、少なくとも前記複数の伝送データ系列それぞれのビットインターリーブの同期に用いる固定パターンの同期ワードを含むことを特徴とする請求項１記載の符号分割多重伝送方式。
【請求項９】
前記伝送データ系列の同期に関する情報には、少なくとも前記複数の伝送データ系列それぞれのビットインターリーブの同期に用いる固定パターンの同期ワードを含み、  前記固定パターンの同期ワードは、前記同期信号１フレームの所定位置に対応させるようにし、前記複数の伝送データ系列総てのビットインターリーブの遅延時間０のビットが現れるタイミングを前記固定パターンの同期ワードの直後となるようにしたことを特徴とする請求項１記載の符号分割多重伝送方式。
【請求項１０】
前記拡散符号同期用信号の長さはマルチパス伝搬環境から予想される各パス間の伝搬遅延時間差の最大値よりも長く、前記拡散符号同期用信号の伝送周期は伝送路上で発生するフェージングの変動周期よりも短くなるようにしたことを特徴とする請求項１記載の符号分割多重伝送方式。
【請求項１１】
前記同期信号は、１フレーム内に収容する前記拡散符号同期用信号の個数を、前記複数の伝送データ系列それぞれにおけるビットインターリーブの深さの整数倍の個数とすることを特徴とする請求項１記載の符号分割多重伝送方式。
【請求項１２】
前記複数の伝送データ系列は、それぞれのビットインターリーブの遅延時間０のビットが現れるタイミングが前記拡散符号同期用信号の直後となるようにしたことを特徴とする請求項１記載の符号分割多重伝送方式。
【請求項１３】
前記複数の伝送データ系列がそれぞれＭＰＥＧ−２システムズで規定されるＴＳパケット構造となっているとき、
前記同期信号は、複数のフレームからなる１スーパーフレームを形成して、当該１スーパーフレームの長さが前記ＴＳパケットの整数倍となるように選定し、
前記複数の伝送データ系列それぞれのＭＰＥＧ−２システムズで規定されるＴＳパケットの同期バイト及びパンクチャド符号のパンクチャドパターンの先頭を前記同期信号１スーパーフレーム中の１フレーム目の所定位置に対応させるようにしたことを特徴とする請求項１記載の符号分割多重伝送方式。
【請求項１４】
請求項１記載の符号分割多重伝送方式で伝送される符号分割多重信号を受信する受信装置であって、
受信された周波数拡散変調信号を既知の拡散符号により復調して同期信号を得る復調部と、
この復調部で得られた同期信号から拡散符号同期用信号、伝送データ系列の構成に関する情報または同期に関する情報を再生する再生処理部とを具備することを特徴とする符号分割多重伝送用受信装置。
【請求項１５】
前記伝送データ系列の構成に関する情報に、少なくとも前記複数の伝送データ系列それぞれの誤り訂正符号の符号化率のパラメータ情報が含まれるとき、
前記再生処理部の出力から前記伝送データ系列の構成に関する情報に含まれる前記複数の伝送データ系列それぞれの誤り訂正符号の符号化率のパラメータ情報を抽出し、これらのパラメータ情報に基づいて任意の伝送データ系列の誤り訂正の処理を行う誤り訂正処理部を備えることを特徴とする請求項１４記載の符号分割多重伝送用受信装置。
【請求項１６】
前記伝送データ系列の構成に関する情報に、少なくとも前記複数の伝送データ系列それぞれのインターリーブの長さのパラメータ情報が含まれるとき、
前記再生処理部の出力から前記伝送データ系列の構成に関する情報に含まれる前記複数の伝送データ系列それぞれのインターリーブの長さのパラメータ情報を抽出し、これらのパラメータ情報に基づいて任意の伝送データ系列のデインターリーブの処理を行うデインターリーブ処理部を備えることを特徴とする請求項１４記載の符号分割多重伝送用受信装置。
【請求項１７】
前記伝送データ系列の同期に関する情報に、少なくとも前記複数の伝送データ系列それぞれの誤り訂正符号のパンクチャドパターンの同期に用いる同期ワードが含まれるとき、
前記復調部の出力から前記伝送データ系列の同期に関する情報に含まれる前記複数の伝送データ系列それぞれの誤り訂正符号のパンクチャドパターンの同期に用いる同期ワードを検出し、その検出タイミングに基づいて任意の伝送データ系列の誤り訂正符号のパンクチャドパターンの同期を行う誤り訂正処理部を備えることを特徴とする請求項１４記載の符号分割多重伝送用受信装置。
【請求項１８】
前記伝送データ系列の同期に関する情報に、少なくとも前記複数の伝送データ系列それぞれのビットインターリーブの同期に用いる固定パターンの同期ワードが含まれるとき、
前記復調部の出力から前記伝送データ系列の同期に関する情報に含まれる前記複数の伝送データ系列それぞれのビットインターリーブの同期に用いる固定パターンの同期ワードを検出し、その検出タイミングに基づいて任意の伝送データ系列のデインターリーブの同期を行うデインターリーブ処理部を備えることを特徴とする請求項１４記載の符号分割多重伝送用受信装置。
【請求項１９】
前記伝送データ系列の同期に関する情報に、少なくとも前記複数の伝送データ系列それぞれの誤り訂正符号のパンクチャドパターンの同期に用いる同期ワードが含まれ、前記同期信号が、複数のフレームからなる１スーパーフレームで形成され、前記同期ワードが、前記同期信号１スーパーフレーム中の１フレーム目の所定位置に対応付けられ、前記複数の伝送データ系列総ての誤り訂正符号のパンクチャドパターンの先頭が前記同期ワードの直後となっているとき、
前記復調部の出力から前記伝送データ系列の同期に関する情報に含まれる前記複数の伝送データ系列それぞれの誤り訂正符号のパンクチャドパターンの同期に用いる同期ワードを検出し、その検出タイミングに基づいて任意の伝送データ系列における誤り訂正符号のパンクチャドパターンの同期のタイミングを決定する誤り訂正処理部を備えることを特徴とする請求項１４記載の符号分割多重伝送用受信装置。
【請求項２０】
前記伝送データ系列の同期に関する情報に、少なくとも前記複数の伝送データ系列それぞれのビットインターリーブの同期に用いる固定パターンの同期ワードが含まれ、前記固定パターンの同期ワードが、前記同期信号１フレームの所定位置に対応付けられ、前記複数の伝送データ系列総てのビットインターリーブの遅延時間０のビットが現れるタイミングが前記固定パターンの同期ワードの直後となっているとき、
前記復調部の出力から前記伝送データ系列の同期に関する情報に含まれる前記複数の伝送データ系列それぞれのビットインターリーブの同期に用いる固定パターンの同期ワードを検出し、その検出タイミングに基づいて任意の伝送データ系列におけるデインターリーブの処理タイミングを決定するデインターリーブ処理部を備えることを特徴とする請求項１４記載の符号分割多重伝送用受信装置。
【請求項２１】
前記同期信号について、１フレーム内に収容する前記拡散符号同期用信号の個数が、前記複数の伝送データ系列それぞれにおけるビットインターリーブの深さの整数倍の個数となるように選定されているとき、
前記復調部の出力から前記同期信号の１単位期間中の拡散符号同期用信号の個数を求めることで任意の伝送データ系列におけるビットインターリーブの深さを求めて、当該伝送データ系列のビットデインターリーブ処理を行うビットデインターリーブ処理部を備えることを特徴とする請求項１４記載の符号分割多重伝送用受信装置。
【請求項２２】
前記複数の伝送データ系列について、それぞれのビットインターリーブの遅延時間０のビットが現れるタイミングが前記拡散符号同期用信号の直後となるように設定されているとき、
前記復調部の出力から前記拡散符号同期用信号の直後を検出してビットインターリーブの遅延時間０のビットと判別し、任意の伝送データ系列のビットデインターリーブ処理を行うビットデインターリーブ処理部を備えることを特徴とする請求項１４記載の符号分割多重伝送用受信装置。
【請求項２３】
複数の伝送データ系列それぞれの周波数拡散変調信号を符号分割多重して伝送する符号分割多重伝送方式において、
受信側における拡散符号の同期を容易にするための拡散符号同期用信号、前記複数の伝送データ系列それぞれの構成に関する情報または同期に関する情報、及び総てまたは特定の受信装置に共通の伝送情報の時分割多重を行うと共に受信側で既知の拡散符号を用いた周波数拡散変調を行って同期信号としての周波数拡散変調信号を生成する同期信号処理部と、
この同期信号処理部で得られた同期信号としての周波数拡散変調信号を前記複数の伝送データ系列それぞれの周波数拡散変調信号に符号分割多重して伝送信号を生成する符号分割多重化部とを具備することを特徴とする符号分割多重伝送方式。
【請求項２４】
前記同期信号処理部は、受信側における拡散符号の同期を容易にするための拡散符号同期用信号、前記複数の伝送データ系列それぞれの構成に関する情報または同期に関する情報、及び総てまたは特定の受信装置に共通の伝送情報を時分割多重する時分割多重化部と、この時分割多重化部で得られた時分割多重信号を受信側で既知の拡散符号を用いて周波数拡散変調して同期信号としての周波数拡散変調信号を生成する周波数拡散変調部とを備えることを特徴とする請求項２３記載の符号分割多重伝送方式。
【請求項２５】
前記同期信号処理部は、受信側における拡散符号の同期を容易にするための拡散符号同期用信号を受信側で既知の拡散符号を用いて周波数拡散変調する第１の周波数拡散変調部と、前記複数の伝送データ系列それぞれの構成に関する情報または同期に関する情報、及び総てまたは特定の受信装置に共通の伝送情報を前記受信側で既知の拡散符号を用いて周波数拡散変調する第２の周波数拡散変調部と、前記第１及び第２の周波数拡散変調部それぞれで得られる周波数拡散変調信号を時分割多重して同期信号としての周波数拡散変調信号を生成する時分割多重化部とを備えることを特徴とする請求項２３記載の符号分割多重伝送方式。
【請求項２６】
前記受信装置に共通の伝送情報中に地域識別情報を含めて、共通の伝送情報を受信可能な受信装置を特定地域に限定することを特徴とする請求項２３記載の符号分割多重伝送方式。
【請求項２７】
前記受信装置に共通の伝送情報中に予め登録されたグループ識別情報を含めて、共通の伝送情報を受信可能な受信装置を予め登録されたグループ加入者の端末に特定することを特徴とする請求項２３記載の符号分割多重伝送方式。
【請求項２８】
前記受信装置に共通の伝送情報中に受信装置の起動を促す起動信号を含めることを特徴とする請求項２３記載の符号分割多重伝送方式。
【請求項２９】
前記拡散符号同期用信号の長さはマルチパス伝搬環境から予想される各パス間の伝搬遅延時間差の最大値よりも長く、前記拡散符号同期用信号の伝送周期は伝送路上で発生するフェージングの変動周期よりも短くなるようにしたことを特徴とする請求項２３、２６、２７及び２８のいずれか記載の符号分割多重伝送方式。
【請求項３０】
前記同期信号は、１フレーム内に収容する前記拡散符号同期用信号の個数を、前記複数の伝送データ系列それぞれにおけるビットインターリーブの深さの整数倍の個数とすることを特徴とする請求項２３、２６、２７及び２８のいずれか記載の符号分割多重伝送方式。
【請求項３１】
前記複数の伝送データ系列は、それぞれのビットインターリーブの遅延時間０のビットが現れるタイミングが前記拡散符号同期用信号の直後となるようにしたことを特徴とする請求項２３、２６、２７及び２８のいずれか記載の符号分割多重伝送方式。
【請求項３２】
前記複数の伝送データ系列がそれぞれＭＰＥＧ−２システムズで規定されるＴＳパケット構造となっているとき、
前記同期信号は、複数のフレームからなる１スーパーフレームを形成して、当該１スーパーフレームの長さが前記ＴＳパケットの整数倍となるように選定し、
前記複数の伝送データ系列それぞれのＭＰＥＧ−２システムズで規定されるＴＳパケットの同期バイト及びパンクチャド符号のパンクチャドパターンの先頭を前記同期信号１スーパーフレーム中の１フレーム目の所定位置に対応させるようにしたことを特徴とする請求項２３、２６、２７及び２８のいずれか記載の符号分割多重伝送方式。
【請求項３３】
請求項２３、２６、２７及び２８のいずれか記載の符号分割多重伝送方式で伝送される符号分割多重信号を受信する受信装置であって、
受信された周波数拡散変調信号を既知の拡散符号により復調して同期信号を得る復調部と、
この復調部で得られた同期信号から拡散符号同期用信号、前記複数の伝送データ系列それぞれの構成に関する情報または同期に関する情報、及び総てまたは特定の受信装置に共通の伝送情報を再生する再生処理部とを具備ことを特徴とする符号分割多重伝送用受信装置。
【請求項３４】
前記受信装置に共通の伝送情報中に地域識別情報が含められ、共通の伝送情報を受信可能な受信装置が特定地域に限定されているとき、
前記再生処理部の出力から前記同期信号の共通の伝送情報中に含まれる地域識別情報を抽出し、自装置の存在位置情報を別途取得し、前記同期信号の共通の伝送情報中に含まれる地域識別情報から自装置が該当するか否かを判別し、該当する場合に共通の情報を受信再生する共通情報再生部を備えることを特徴とする請求項３３記載の符号分割多重伝送用受信装置。
【請求項３５】
前記受信装置に共通の伝送情報中に予め登録されたグループ識別情報が含められ、共通の伝送情報を受信可能な受信装置が予め登録されたグループ加入者の端末に特定されているとき、
前記再生処理部の出力から前記同期信号の共通の伝送情報中に含まれるグループ識別情報を抽出し、自装置の登録グループ情報を別途取得し、前記同期信号の共通の伝送情報中に含まれるグループ識別情報から自装置の登録グループが該当するか否かを判別し、該当する場合に共通の伝送情報を受信再生する共通伝送情報再生部を備えることを特徴とする請求項３３記載の符号分割多重伝送用受信装置。
【請求項３６】
前記受信装置に共通の伝送情報中に受信装置の起動を促す起動信号が含められているとき、
前記再生処理部の出力から前記同期信号の共通の伝送情報中に含まれる受信装置の起動を促す起動信号を検出し、この起動信号により受信処理を起動させる受信起動処理部を備えることを特徴とする請求項３３記載の符号分割多重伝送用受信装置。
【請求項３７】
前記同期信号は、１フレーム内に収容する前記拡散符号同期用信号の個数が、前記複数の伝送データ系列それぞれにおけるビットインターリーブの深さの整数倍の個数となるように選定されているとき、
前記復調部の出力から前記同期信号の１単位期間中の拡散符号同期用信号の個数を求めることで任意の伝送データ系列におけるビットインターリーブの深さを求めて、当該伝送データ系列のビットデインターリーブ処理を行うビットデインターリーブ処理部を備えることを特徴とする請求項３３記載の符号分割多重伝送用受信装置。
【請求項３８】
前記複数の伝送データ系列は、それぞれのビットインターリーブの遅延時間０のビットが現れるタイミングが前記拡散符号同期用信号の直後となるように設定されているとき、
前記復調部の出力から前記拡散符号同期用信号の直後を検出してビットインターリーブの遅延時間０のビットと判別し、任意の伝送データ系列のビットデインターリーブ処理を行うビットデインターリーブ処理部を備えることを特徴とする請求項３３記載の符号分割多重伝送用受信装置。
【請求項３９】
複数の伝送データ系列それぞれの周波数拡散変調信号を符号分割多重して伝送する符号分割多重伝送方法において、
受信側における拡散符号の同期を容易にするための拡散符号同期用信号、及び前記複数の伝送データ系列それぞれの構成に関する情報または同期に関する情報の時分割多重を行うと共に受信側で既知の拡散符号を用いた周波数拡散変調を行って、同期信号としての周波数拡散変調信号を生成するステップと、
前記周波数拡散変調信号を前記複数の伝送データ系列それぞれの周波数拡散変調信号に符号分割多重して伝送信号を生成するステップとを具備することを特徴とする符号分割多重伝送方法。
【請求項４０】
複数の伝送データ系列それぞれの周波数拡散変調信号を符号分割多重して伝送する符号分割多重伝送方法において、
受信側における拡散符号の同期を容易にするための拡散符号同期用信号、前記複数の伝送データ系列それぞれの構成に関する情報または同期に関する情報、及び総てあるいは特定の受信装置に共通の伝送情報の時分割多重を行うと共に受信側で既知の拡散符号を用いた周波数拡散変調を行って、同期信号としての周波数拡散変調信号を生成するステップと、
前記周波数拡散変調信号を前記複数の伝送データ系列それぞれの周波数拡散変調信号に符号分割多重して伝送信号を生成するステップとを具備することを特徴とする符号分割多重伝送方法。
【手続補正２】
【補正対象書類名】明細書
【補正対象項目名】００４８
【補正方法】変更
【補正の内容】
【００４８】
Ｄ3 〜Ｄ50は、例えば図３に示すように、識別情報（７bit ）、受信機起動信号（１bit ）、ＣＤＭチャンネル構成情報（５６８bit ）、受信機起動時付加情報（４８bit ）、誤り訂正用ＣＲＣの検査ビット（１６bit ）、リードソロモン（ＲＳ）符号の検査バイト（１２８bit ）から構成されるデータをバイトインターリーブ、畳み込み符号化した後、同期用拡散符号で拡散することにより周波数拡散変調信号を生成し、１２５μsec 毎に分割した信号とする。
【手続補正３】
【補正対象書類名】図面
【補正対象項目名】図３
【補正方法】変更
【補正の内容】
【図３】
2001156681.tif 000001
【手続補正４】
【補正対象書類名】図面
【補正対象項目名】図６
【補正方法】変更
【補正の内容】
【図６】
2001156681.tif 000002
【手続補正５】
【補正対象書類名】図面
【補正対象項目名】図８
【補正方法】変更
【補正の内容】
【図８】
2001156681.tif 000003